(57)【特許請求の範囲】
【請求項１】
ホログラム、または、回折格子の中に図柄による第一の隠し情報が形成され、前記第一の隠し情報の内側に、第二の隠し情報が文字，記号の何れか又はこれらの組み合わせによって形成された真贋識別構造であって、前記第一の隠し情報である図柄は、前記ホログラム又は前記回折格子の中の境界部に目視では識別不可能に形成され、前記第二の隠し情報は、凹凸によって形成されたことを特徴とする真贋識別構造。
【請求項２】
請求項１に記載の真贋識別構造において、
第二の隠し情報は、同一の文字または同一の記号で構成された情報であることを特徴とする真贋識別構造。
【請求項３】
請求項１に記載の真贋識別構造において、
第二の隠し情報は、異なる文字または異なる記号で構成された情報であることを特徴とする真贋識別構造。
【請求項４】
請求項２，３に記載の真贋識別構造において、
第二の隠し情報は、文字，記号が異なる大きさ及び／または異なる密度で配置されて形成された情報であることを特徴とする真贋識別構造。
【発明の詳細な説明】
【技術分野】
【０００１】
本発明は、真贋識別構造に関し、詳しくは、微細図柄の内側に、さらに文字，記号による微細情報が凹凸によって形成された真贋識別構造に関する。
【背景技術】
【０００２】
近年、カラーコピー機の解像機能の向上、色再現機能の向上によって極めて精巧なコピーが得られるようになってきている。
そのために、高額紙幣や商品券等の金券類は、カラーコピー機による偽造を防止するために、デザインの一部にカラーコピー機のセンサーでは読み取ることができない小さな網点や細線を、同じ反射濃度でデザインされた絵柄の中に組み込んでいる。
その結果、これらの高額紙幣や商品券をカラーコピー機によって複写しようとすると、コピー機のスキャナーが小さな網点や細線を読み落とし、その部分が白く抜けることでコピー品であると判別している。
【０００３】
また、ホログラム，回折格子は、目視した際の視認性が特徴的で、かつその製造に高度な技術を必要とすることから、一部の高額紙幣や、その他の金券類に偽造防止分手段として使用されてきた。
【０００４】
例えば、多大なコストと手間をかけないと複写あるいは偽造ができない回折構造を有する「書類」が提供されている（例えば、特許文献１参照）。
特許文献１の記載によれば、所定面に刻印されて回折光学的な作用を及ぼす巨視的な構造を有する有価証券、身分証明書等の書類において、この巨視的な構造は、１０本／ｍｍ以上の空間周波数を有する回折光学的な作用を及ぼす所定の凹凸構造を備えた複数の部分面からなり、各部分面の凹凸構造は、その隣接する部分面の凹凸構造と異っている。そして、これらの部分面の内少なくとも一群の部分面によって書類の真贋情報が表され、その真贋情報を表す各部分面の最大寸法は、０．３ｍｍより小さい寸法とされる。これにより真贋情報は、ルーペ等の補助手段を用いてはじめて識別することが可能になるというものである。
また、単なるホログラムでは、偽造防止手段として不十分だとして、「立体マイクロパターン表示体」が提供されている（例えば、特許文献２参照）。
特許文献２の記載によれば、ホログラムが多数の微小なマイクロ文字、あるいは、幾何学的なマイクロ図形の三次元集合体からなり、それら多数の微小マイクロ文字、あるいは、幾何学的なマイクロ図形が三次元的に集合して特定の立体形状体を構成するように配置された「立体マイクロパターン表示体」であるとしている。
【０００５】
【特許文献１】実開平９−６６号公報
【特許文献２】特開２００４−１３８６８８号公報
【発明の開示】
【発明が解決しようとする課題】
【０００６】
特許文献１に記載された技術は、比較的安価なグレーティングプロット装置を使用しても、それらしき偽物を作製することができてしまう。
また、特許文献２に記載された技術は、微小マイクロ文字、あるいは、幾何学的なマイクロ図形が三次元的に集合して特定の立体形状体を構成するように配置されたものでり、微小マイクロ文字を真贋識別手段として使用するものではない。
そこで、本発明は、微細図柄の内側に、さらに文字，記号による微細情報が凹凸によって形成された真贋識別構造を提供することを目的とする。
【課題を解決するための手段】
【０００７】
前記課題の目的を達成するために、本発明の真贋識別構造の第一の態様は、ホログラム、または、回折格子の中に図柄による第一の隠し情報が形成され、前記第一の隠し情報の内側に、第二の隠し情報が文字，記号の何れか又はこれらの組み合わせによって形成された真贋識別構造であって、前記第一の隠し情報である図柄は、前記ホログラム又は前記回折格子の中の境界部に目視では識別不可能に形成され、前記第二の隠し情報は、凹凸によって形成されたことを特徴とするものである。
【０００８】
また、第二の態様は、第一の態様において、第二の隠し情報は、同一の文字または同一の記号で構成された情報であることを特徴とするものである。
【０００９】
また、第三の態様は、第一の態様において、第二の隠し情報は、異なる文字または異なる記号で構成された情報であることを特徴とするものである。
【００１０】
また、第四の態様は、第二，第三の態様において、第二の隠し情報は、文字，記号が異なる大きさ及び／または異なる密度で配置されて形成された情報であることを特徴とするものである。
【発明の効果】
【００１２】
１）第一の態様のように、ホログラム、または、回折格子の中に図柄による第一の隠し情報が形成され、前記第一の隠し情報の内側に、第二の隠し情報が文字，記号の何れか又はこれらの組み合わせによって形成された真贋識別構造であって、前記第一の隠し情報である図柄は、前記ホログラム又は前記回折格子の中の境界部に目視では識別不可能に形成され、前記第二の隠し情報は、凹凸によって形成されたことによって、不正を企てる者に真贋識別構造の存在および詳細を悟られることがなく、高い複製阻止効果が期待できる。また、第一の隠し情報が形成された部分になんらかの偽造防止策が施されていることが分かり、不正を企てるに対し、牽制効果が期待できる。また、第一の隠し情報形成部は、ルーペ等で拡大することにより識別できるため、第一段階における真贋識別を容易に行うことができる。
２）また、第二の態様のように、第一の態様において、第二の隠し情報は、同一の文字または同一の記号で構成された情報であることによって、第一の隠し情報である図柄に諧調を与えることができ、図柄の諧調表現は回折格子による技術では困難なため高い複製阻止効果が期待できる。
また、文字または記号が同一なため、判定装置などによる真贋の判定を迅速に行うことができる。
３）また、第三の態様のように、第一の態様において、第二の隠し情報は、異なる文字または異なる記号で構成された情報であることによって、第一の隠し情報である図柄に諧調を与えることができ、図柄の諧調表現は回折格子による技術では困難なため高い複製阻止効果が期待できる。
また、文字または記号が異なるために隠し情報の解析がより困難となり、高い複製阻止効果が期待できる。
４）また、第四の態様のように、第二，第三の態様において、第二の隠し情報は、文字，記号が異なる大きさ及び／または異なる密度で配置されて形成された情報であることによって、第一の隠し情報である図柄に諧調を与えることができ、図柄の諧調表現は回折格子による技術では困難なため高い複製阻止効果が期待できる。
また、異なる文字，記号が、異なる大きさ及び／または異なる密度で配置されて形成されているため解析を一層困難にし、極めて高い複製阻止効果が期待できる。
【発明を実施するための最良の形態】
【００１３】
以下、図面を参照して、本発明の真贋識別構造について説明する。
図１は、本発明の真贋識別構造について説明するための図，図２は、図１の図柄の境界線の一部を拡大した図の一例，図３は、図２の一部を拡大した図の一例，図４〜図７は、図２の一部を拡大した図の一例，図８は、第二の隠し情報の一例について説明するための図，である。
第二の隠し情報には、文字，記号のいずれが使用されてもかまわないが、本実施の形態では、文字（アルファベット）と一部に記号が使用された例を引用して説明する。
【００１４】
図１を参照して、本発明の真贋識別構造について説明する。
真贋識別手段などには、物体光と参照光との光の干渉による干渉縞で表現された３次元画像のレリーフホログラムや、２次元画像による回折格子等が使用されるが、その他に、白色光再生ホログラムであるレインボーホログラム，カラーホログラム，電子線等を用いて機械的に画像を描写する計算機ホログラム、さらに、これらのホログラムに文字，記号，図柄等を結合させて作製される合成ホログラム等が使用される。
【００１５】
回折格子やホログラムを転写形態で使用する場合は、耐熱性を有する基材フィルム上に剥離層を形成し、その上に、例えば、熱硬化性の樹脂層を形成し、熱硬化性の樹脂層に凹凸構造を形成し、反射層を形成し、その上に感熱接着剤層を形成して転写用フィルムと成し、熱せられた金属の型等によって、接着剤層を含めた極めて薄い樹脂層を紙などの印刷物上に転写して使用する。
回折格子やホログラムをラベル形態で使用する場合は、基材フィルム上に熱硬化性の樹脂層を形成し、熱硬化性の樹脂層に凹凸構造を形成し、凹凸構造の上に反射層を形成し、その上に粘着剤層を形成し、粘着剤面を剥離紙で被覆して、基材フィルムを剥離紙と一緒に所定の大きさに打ち抜いてラベルとし、剥離紙を剥がして対象物に貼付して使用する。
【００１６】
反射層は、前述の回折格子やホログラムの形成層の凹凸面に反射性を与えるために設けられる。
反射層には、不透明な反射層と、透明性を有する透明反射層とがあるが、本発明のように真贋識別手段として使用する場合は、コピー牽制要素を組み入れて、アルミニウムや、ニッケルなどの金属による不透明な反射層を形成する。
反射層を形成する方法としては、真空蒸着法，スパッタリング法，イオンブレーティング法等があり、目的によって使い分ける。
また、剥離層，熱硬化性樹脂層，接着剤層，粘着剤層等の形成手段として、グラビアコート法，ダイコート法，ナイフコート法，ロールコート法等の一般的なコーティング方法及びシルクスクリーン等の印刷方法の中から選択して使用する。
【００１７】
図１の回折格子やホログラム（以下の説明では、回折格子の例で説明する。）は、２次元画像の回折構造の中や、内包される文字の境界部や、回折格子図柄の境界部などに凹凸による真贋識別情報を形成したものである。
真贋識別情報は、回折格子１からなる星型の図柄の境界部１１や、図示しないが、内包される文字の境界部の他に、文字の内側や回折格子図柄の内側に形成された線分や、デザインの一部に組み込むこともできる。
【００１８】
図２を参照して、図１の、図柄の境界部の一部を拡大した図の一例について説明する。
回折格子の図柄の境界部１１には、第一の隠し情報として階調を伴った星型の微細図柄１１１が、凹凸による第二の隠し情報及び一部に形成された回折格子１１２によって形成されている。
第一の隠し情報である星型の微細図柄１１１は、左上に行くほど暗くなっており、右下に行くほど明るくなっている。
第一の隠し情報１１１は、微細な星型に拘るものではなく、生物、動物、図形などいずれでもよい。
また、図の例では同一形状の星型が並んでいるが、異なった図柄で構成されていてもよい。
第一の隠し情報１１１は、目視では識別することができない高さ「Ｈ」（Ｈ≦３００μｍ）で形成されている。
また、第一の隠し情報以外の領域１１２には、第一の隠し情報が認識し難い構造で、回折格子が形成されている。
【００１９】
図３を参照して、図２の一部を拡大した図の一例について説明する。
図３は、図２の一部を拡大した図の一例であるが、微細図柄１１１の一部領域１１１１には、第二の隠し情報２として、複数の文字又は複数の記号、または、複数の文字と記号の組み合わせが形成される。
図３の例は、微細図柄１１１の一部領域１１１１は、アルファベットの大文字「Ａ」と、アルファベットの大文字「Ｖ」の組み合わせによる第二の隠し情報２が、高密度で配置され、形成された例である。
図３に示す微細図柄１１１による第一の隠し情報のすべての領域が微細図柄の一部領域１１１１の状態になっている場合は、第一の隠し情報は、明るさが均一の状態になる。
また、第一の隠し情報である微細図柄１１１に形成された第二の隠し情報の大きさ，密度に変化を持たせた場合は、第一の隠し情報は、明るさに諧調が付与された状態になる。
【００２０】
一方、第一の隠し情報形成領域以外の領域１１２には、例えば、格子角度９０°，格子ピッチ１．０μｍの回折格子を形成する。
【００２１】
図４を参照して、図２の一部を拡大した図の一例について説明する。
図２の微細図柄１１１の一部領域１１１１ａには、第二の隠し情報２ａとしてアルファベットの大文字「Ａ」が形成されている。
微細図柄１１１の一部領域１１１１ａは、暗く認識される領域で、第二の隠し情報２ａが高い密度で形成された領域である。
また、図２の微細図柄１１１の一部領域１１１２ａには、第二の隠し情報２ａとして、図２の微細図柄１１１の一部領域１１１１ａに形成されたアルファベットの大文字「Ａ」と同一の文字種が低密度で形成されている。
微細図柄１１１の一部領域１１１２ａは、明るく認識される領域で、微細図柄１１１の一部領域１１１１ａと同一の文字種が同一サイズで、異なる密度で配置された領域となっている。
一方、第二の隠し情報である文字，記号以外の領域１１２には、例えば、格子角度９０°，格子ピッチ１．０μｍの回折格子が形成される。
【００２２】
図５を参照して、図２の一部を拡大した図の他の一例について説明する。
図２の微細図柄１１１の一部領域１１１１ａには、アルファベットの大文字「Ａ」が形成されている。微細図柄１１１の一部領域１１１１ａは、第二の隠し情報２ａが高い密度で形成された、暗く認識される領域である。
また、図２の微細図柄１１１の一部領域１１１２ｂは、第二の隠し情報として前述の微細図柄の一部領域１１１１ａに形成されたアルファベットの大文字「Ａ」と同種の文字がより大きなサイズで、低密度で配置されて形成されている。
微細図柄１１１の一部領域１１１２ｂは、明るく認識される領域で、同一の文字種が異なる大きさで、異なる密度で配置された領域となっている。
一方、第二の隠し情報である文字，記号以外の領域１１２には、例えば、格子角度９０°，格子ピッチ１．０μｍの回折格子が形成される。
【００２３】
図６を参照して、図２の一部を拡大した図の他の一例について説明する。
図２の微細図柄１１１の一部領域１１１１ｃには、第二の隠し情報２ｃとして異なる文字種のアルファベット及び記号が同じ大きさで形成されている。
微細図柄１１１の一部領域１１１１ｃは、暗く認識される領域で、第二の隠し情報２ｃが高い密度で形成された領域である。
また、図２の微細図柄１１１の一部領域１１１２ｃには、第二の隠し情報２ｄとして微細図柄の一部領域１１１１ｃに形成されたアルファベット及び記号が、前記微細図柄の一部領域１１１１ｃに形成されたサイズより小さなサイズで形成されている。
微細図柄１１１の一部領域１１１２ｃは、明るく認識される領域で、微細図柄１１１の一部領域１１１１ｃに形成されたと同一の文字種が異なる大きさで、異なる密度で配置された領域となっている。
一方、第二の隠し情報である文字，記号以外の領域１１２には、例えば、格子角度９０°，格子ピッチ１．０μｍの回折格子が形成される。
【００２４】
図７を参照して、図２の一部を拡大した図の他の一例について説明する。
図２の微細図柄１１１の一部領域１１１１ａには、アルファベットの大文字「Ａ」が形成されている。微細図柄１１１の一部領域１１１１ａは、第二の隠し情報２ａが高い密度で形成された、暗く認識される領域である。
また、図２の微細図柄１１１の一部領域１１１２ｃには、第二の隠し情報２ｄとして微細図柄の一部領域１１１１ｃに形成されたアルファベット及び記号が、前記微細図柄の一部領域１１１１ｃに形成されたサイズより小さなサイズで形成されている。
微細図柄１１１の一部領域１１１２ｃは、明るく認識される領域で、微細図柄の一部領域１１１１ａとは異なる文字種２ｄが、異なる密度で配置された領域となっている。
一方、第二の隠し情報である文字，記号以外の領域１１２には、例えば、格子角度９０°，格子ピッチ１．０μｍの回折格子が形成される。
【００２５】
図８を参照して、第二の隠し情報の一例について説明する。
第二の隠し情報２である文字，記号の大きさ「Ｈ」は、０．５〜５０μｍに、また、文字，記号の凹部の深さ「Ｄ」は、０．０５〜０．２５μｍで設定される。
【産業上の利用可能性】
【００２６】
紙幣，商品券，入場券，ギフト券，手形，小切手，カード，証明書，保証書等に利用できる。
【図面の簡単な説明】
【００２７】
【図１】本発明の真贋識別構造について説明するための図である。
【図２】図１の図柄の境界線の一部を拡大した図の一例である。
【図３】図２の一部を拡大した図の一例である。
【図４】図２の一部を拡大した図の一例である。
【図５】図２の一部を拡大した図の他の一例である。
【図６】図２の一部を拡大した図の他の一例である。
【図７】図２の一部を拡大した図の他の一例である。
【図８】第二の隠し情報の一例について説明するための図である。
【符号の説明】
【００２８】
１      ホログラム又は回折格子
２，２ａ，２ｂ，２ｃ，２ｄ  第二の隠し情報
１１    図柄の境界部
１１１  微細図柄，第一の隠し情報
１１２  第一の隠し情報以外の領域，文字，記号以外の領域
１１１１，１１１１ａ，１１１１ｃ  微細図柄の一部領域
１１１２，１１１２ｂ，１１１２ｃ  微細図柄の一部領域
【図１】
0004831320.tif 000002
【図２】
0004831320.tif 000003
【図３】
0004831320.tif 000004
【図４】
0004831320.tif 000005
【図５】
0004831320.tif 000006
【図６】
0004831320.tif 000007
【図７】
0004831320.tif 000008
【図８】
0004831320.tif 000009